(57)【要約】【課題】ポンプを２基以上使用する機器において、ポンプの駆動に起因する振動を確実に低減、又は防止可能なポンプの固定構造を提供すること。また、そのようなポンプの固定構造でポンプを取付けた給湯システムを提供すること。【解決手段】複数のポンプ１３，１４が取付けられ、通常使用時において少なくとも１基のポンプ１４が休止している機器（給湯システム）において、複数のポンプ１３，１４を直接的又は間接的に一体化された状態とする。さらに、複数のポンプ１３，１４を前記一体化された状態で、防振部材７２を介して機器に固定する。【選択図】図１４
2012225628.tif 000002
【特許請求の範囲】
【請求項１】
通常使用時において少なくとも１基のポンプが休止している機器に複数のポンプを取付けるポンプの固定構造であって、
複数のポンプは直接的又は間接的に一体化されており、前記一体化された状態で防振部材を介して機器に固定されていることを特徴とするポンプの固定構造。
【請求項２】
前記機器は筺体を備え、前記ポンプの少なくとも１つは、筺体内壁面のいずれかに直接又は間接的に取付けられることを特徴とする請求項１に記載のポンプの固定構造。
【請求項３】
取付け具と連結部材とを備え、
前記取付け具は、少なくとも台座部を有し、
前記防振部材はポンプと台座部の間に配されるものであって、
前記連結部材は、連結板部と、固定板部から形成され、ポンプと台座部との間に固定された固定板部を連結板部で接続することにより、複数の取付け具を一体化することを特徴とする請求項１又は２に記載のポンプの固定構造。
【請求項４】
湯水を加熱する熱源部と、循環ポンプを有するポンプユニットが配管によって接続され、双方の機器を含む間の配管内に所定温度の湯水を滞留させて、要求に応じて滞留された湯水から出湯させる機能を備えた給湯システムであって、
熱源部及びポンプユニットは１つの筺体に内蔵される、又は複数の筺体に分割して内蔵されるものであり、請求項１乃至３のいずれかに記載のポンプの固定構造によって、少なくとも１つの筺体内部に複数のポンプを取付けたことを特徴とする給湯システム。
【発明の詳細な説明】
【技術分野】
【０００１】
本発明は、筺体内部にポンプを取付けるためのポンプの固定構造に係るものであり、また、そのようなポンプの固定構造によってポンプを取付けた給湯システムに関する。
【背景技術】
【０００２】
バーナ等で構成される燃焼部を有し、熱交換器を流れる湯水を燃焼部で生成された高温の燃焼ガスの熱エネルギーで加熱する構成を備えた給湯装置が広く普及している。このような給湯装置は、一般家庭だけでなく、ホテルや銭湯等の商業施設においても使用されている。
【０００３】
ホテルの客室や銭湯では、カランを開くと直ちに温水が吐出されることが望まれる。そのため、商業施設では、出湯時に備えて予め設定された温度の湯水を生成しておくことが可能な即湯機能を備えた給湯装置（給湯システム）が一般的に使用されている。
【０００４】
この種の給湯装置では、通常の給湯装置の構成に加えて、湯水を循環する循環回路を備えている。そして、予め湯水を生成し、出湯要求があるまでの間、生成した湯水を設定温度に維持したまま循環回路内で待機させる。例えば、特許文献１にその技術が開示されている。
【０００５】
また、このような商業施設で使用される給湯装置は、できるだけ休止しないで運転させ続けることが望ましい。即ち、給湯機を休止してしまうと施設の営業を休止しなければならず、施設を運営する上で好ましくない。そのため、できるだけ給湯機を休止したくないという欲求があった。
【０００６】
このような欲求を満たすための技術として、循環回路で湯水を循環させるための循環ポンプを２基設け、１基を予備として使用するという給湯装置が考えられる。このような給湯装置では、１方の循環ポンプをメンテナンスしている最中に、他方の循環ポンプで湯水を循環させることができるため、循環ポンプのメンテナンス中であっても給湯装置の運転を継続できる。したがって、給湯装置の連続使用期間を長くすることができる。
【０００７】
またこのような給湯装置では、２基の循環ポンプを交互に使用することで、１基の循環ポンプを使用し続ける場合に比べて、循環ポンプの長期使用に起因する劣化の発生を遅らせることができる。即ち、循環ポンプは使用し続けると劣化していくものであるが、２基の循環ポンプを交互に使用し、所定時間における１基あたりの使用時間を少なくすることにより、２基の循環ポンプそれぞれの劣化の発生を遅らせることができる。このことにより、所定の期間内において、故障による循環ポンプの交換作業や、耐用期間の終了に伴う循環ポンプの交換作業の回数を少なくすることができる。そのため、給湯装置の連続使用期間を長くできる。
【先行技術文献】
【特許文献】
【０００８】
【特許文献１】特開平１１−１５９８６９号公報
【発明の概要】
【発明が解決しようとする課題】
【０００９】
ところで、商業施設で使用される給湯装置には、高い給湯能力が要求される。具体的に説明すると、商業施設の給湯装置は、一般家庭用のそれに比べて相当に多くの出湯要求があり、時間当たりに要求される出湯量が多くなるので、大量出湯に対応する必要がある。そのため、商業施設の給湯装置では、循環回路により多くの湯水を循環できることが望ましい。即ち、循環回路が設定温度に維持された多くの湯水を保持していることにより、大量の出湯要求があった場合であっても、循環回路から出湯要求に応じた湯水を供給できる。
【００１０】
また商業施設では、一般家庭と比べて建物の規模が大きく、循環回路からカラン、シャワー等の出湯機器までの配管距離が長くなる。そのため、湯水を出湯機器まで流すためにより大きな水圧をかける必要がある。
【００１１】
ここで、循環回路に多くの湯水を循環させたり、長い配管に湯水を流したりするためには、循環ポンプの出力を大きくする必要がある。そのため、商業施設で使用される循環回路用の循環ポンプには、一般的に、出力の大きなものが採用される。しかしながら、循環ポンプの出力を大きくすると、駆動時の振動が大きくなってしまうという問題がある。即ち、循環ポンプを駆動したときに大きな振動が発生することにより、それに起因する騒音等の問題が発生してしまう。
【００１２】
そこで本発明は、上記した従来技術の問題点に鑑み、ポンプを２基以上使用する機器（
給湯装置等）において、ポンプの駆動に起因する振動を確実に低減、又は防止可能なポンプの固定構造を提供することを課題とする。また、そのようなポンプの固定構造でポンプを取付けた給湯システムを提供することを課題とする。
【課題を解決するための手段】
【００１３】
上記課題を解決するための請求項１に記載の発明は、通常使用時において少なくとも１基のポンプが休止している機器に複数のポンプを取付けるポンプの固定構造であって、
複数のポンプは直接的又は間接的に一体化されており、前記一体化された状態で防振部材を介して機器に固定されていることを特徴とするポンプの固定構造である。
【００１４】
ここでポンプとは、モーター付きポンプのみならず、ヒートポンプユニット等で使用されるコンプレッサ、モーターを持たない電磁ポンプを含むものとする。即ち、ポンプとは、給湯装置、熱源機等に取り付けられるものであって、気体、湯水等の液体といった流体を流すための機器である。
本発明のポンプの固定構造は、通常使用時において少なくとも１基のポンプが休止している機器に複数のポンプを取付けるものであって、複数のポンプを直接的又は間接的に一体化した状態で防振部材を介して機器に固定する。このことにより、複数のポンプが実質的に一体となった状態で駆動する。ここで、複数のポンプが実質的に一体となった状態で機器を稼動させ、ポンプを駆動させると、通常の動作では少なくとも１基のポンプは休止した状態となるので、駆動していないポンプが駆動しているポンプに連結された状態となる。このことにより、駆動しているポンプは、駆動していないポンプを取付けられた状態で振動するので、駆動していないポンプが駆動しているポンプの錘のように作用することにより、単体で駆動させた場合に比べて発生する振動を低減することができる。より具体的に説明すると、取付け剛性等の他の条件が同じである場合、ポンプ自身の重量が重くなるにつれて駆動時に発生する振動は小さくなる。したがって、ポンプに錘をつけてポンプ自身の重量を重くすると、ポンプ駆動時に発生する振動は小さくなる。ここで本発明のポンプの固定構造では、駆動していないポンプが駆動しているポンプの錘のように作用するため、駆動時に発生する振動を低減することができる。
さらに本発明では、防振部材を介してポンプを機器に取付ける。そのため、ポンプ駆動時に発生する振動を機器へ伝達し難い構造とすることができる。このことにより、ポンプ駆動時に発生する振動によって機器自身が大きく振動してしまうことがなく、ポンプの振動に起因する騒音等の問題を確実に低減、又は防止できる。
【００１５】
請求項２に記載の発明は、前記機器は筺体を備え、前記ポンプの少なくとも１つは、筺体内壁面のいずれかに直接又は間接的に取付けられることを特徴とする請求項１に記載のポンプの固定構造である。
【００１６】
本発明のポンプの固定構造は、筺体を備えた機器の筺体内壁面にポンプを取付ける場合においても、好適に用いることができる。
【００１７】
請求項３に記載の発明は、取付け具と連結部材とを備え、前記取付け具は、少なくとも台座部を有し、前記防振部材はポンプと台座部の間に配されるものであって、前記連結部材は、連結板部と、固定板部から形成され、ポンプと台座部との間に固定された固定板部を連結板部で接続することにより、複数の取付け具を一体化することを特徴とする請求項１又は２に記載のポンプの固定構造である。
【００１８】
かかる構成によると、取付け具を介してポンプを機器に取付けるため、ポンプを機器に直接取付ける構成に比べて、ポンプの着脱作業を容易にできる。即ち、取付け具を筺体に着脱し易い構造にすると共に、予めポンプを取付け具に強固に取付けた状態で取付け具を筺体に対して着脱することにより、ポンプの着脱作業を容易にできる。また、取付け具が台座部を有し、ポンプと台座部の間に防振部材が配される構造であるため、ポンプと取付け具が連結する部分に防振部材が配される。このことにより、ポンプで発生した振動の取付け具への伝達を防止（低減）でき、それに伴って、ポンプで発生した振動の機器へ伝達を防止（低減）できる。また、各ポンプの取付けに使用する取付け具を連結して一体化する構造であるため、ポンプ同士を一体化する構造とは異なり、ポンプの形状等を加工することなく複数のポンプを一体化できる。換言すると、ポンプを直接加工することなく複数のポンプを一体化できるので、公知のポンプをそのまま採用することができる。したがって、比較的安価に本発明を実施することができる。
【００１９】
請求項４に記載の発明は、湯水を加熱する熱源部と、循環ポンプを有するポンプユニットが配管によって接続され、双方の機器を含む間の配管内に所定温度の湯水を滞留させて、要求に応じて滞留された湯水から出湯させる機能を備えた給湯システムであって、熱源部及びポンプユニットは１つの筺体に内蔵される、又は複数の筺体に分割して内蔵されるものであり、請求項１乃至３のいずれかに記載のポンプの固定構造によって、少なくとも１つの筺体内部に複数のポンプを取付けたことを特徴とする給湯システムである。
【００２０】
本発明の給湯システムは、上記したポンプの固定構造によってポンプを固定しているので、ポンプ駆動時に機器（筺体）に伝わる振動を防止（低減）することができる。そのため、稼働時の騒音を防止（低減）することができる。
【発明の効果】
【００２１】
本発明のポンプの固定構造は、複数のポンプを実質的に一体化した状態で防振部材を介して機器に固定する。このとき、複数のポンプが取付けられる機器は、通常使用時において少なくとも１基のポンプが休止している機器である。したがって、機器を稼動させたとき、駆動していないポンプが駆動しているポンプに連結した状態となる。このことにより、駆動していないポンプを駆動しているポンプに対して錘のように作用させることができるので、駆動しているポンプの実質的な重量が増し、駆動時にポンプから発生される振動を低減することができるという効果がある。
また、本発明の給湯システムにおいても同様に、駆動時にポンプから発生される振動を低減することができる。そのため、振動に起因する騒音等の問題を防止（低減）可能な給湯システムを提供できるという効果がある。
【図面の簡単な説明】
【００２２】
【図１】本発明の実施形態に係る給湯システムを示す斜視図である。
【図２】図１のポンプユニットの筐体を示す正面図であり、前面を覆う蓋部を外した状態を示す。
【図３】図２の循環ポンプを示す図であり、ポンプ本体部の部分を透視した一部透視斜視図である。
【図４】図２の循環ポンプ、取付け部材、連結部材を示す分解斜視図である。
【図５】図４の台座部を示す斜視図である。
【図６】図４の台座部を図５とは異なる方向から見た状態を示す斜視図である。
【図７】図４のブラケットを示す斜視図である。
【図８】図４の固定板部を示す斜視図である。
【図９】図４の連結板部を示す斜視図である。
【図１０】図４の防振部材を示す斜視図である。
【図１１】本発明の実施形態に係る循環ポンプをポンプユニット用筺体に取付けるときの台座部、ブラケット、防振部材の位置関係を示す説明図である。
【図１２】本発明の実施形態に係る循環ポンプをポンプユニット用筺体に取付けるときの台座部、ブラケット、防振部材、循環ポンプ、固定板部の位置関係を示す説明図であり、ポンプ本体部を透視した状態を示す。
【図１３】本発明の実施形態に係る循環ポンプ及び予備用循環ポンプをポンプユニット用筺体に取付けるときの台座部、ブラケット、防振部材、循環ポンプ、予備用循環ポンプ、固定板部、連結板部の位置関係を示す説明図であり、ポンプ本体部を省略して示す。
【図１４】本発明の実施形態に係る循環ポンプ及び予備用循環ポンプをポンプユニット用筺体に取付けた状態を示す斜視図である。
【発明を実施するための形態】
【００２３】
次に、本発明の実施形態に係る給湯システムについて説明する。また以下の説明において、上下、左右、前後の位置関係については特に断りのない限り、図１で示す通常の設置状態を基準として説明する。
【００２４】
本実施形態に係る給湯システム１（機器）は、図１，２で示されるように、複数（本実施形態では２台）の給湯器本体２（熱源部）と、循環ポンプ１３（ポンプ）及び予備用循環ポンプ１４（ポンプ）等を備えたポンプユニット３とを組み合わせたものであり、これらが配管等を用いて連結されている。そして、給湯器本体２、ポンプユニット３、カラン、シャワー等の出湯器具（図示せず）は各種配管で接続されている。そして、給湯器本体２、ポンプユニット３、出湯器具の各機器を含む間には、循環回路が設けられており、循環回路内で湯水を循環させて、出湯要求（カラン等が操作されること）があるまで湯水を所定温度に維持することが可能な構成とされている。
【００２５】
給湯器本体２は、公知のそれと同様のものが採用されており、本実施形態では２台とも同じ機能及び能力を備えた給湯器とされている。具体的には、給湯器本体２は、熱源用筐体５を有し、燃料ガスを燃焼する燃焼部と、一次熱交換器及び二次熱交換器を備えた熱交換部と、送風機とを主要な構成部材として熱源用筐体５に内蔵されている。そして、これら燃焼部、熱交換部、送風機等を制御可能なコントローラが内蔵されている。
【００２６】
熱源用筐体５は、図１で示されるように１面が開放された筐体本体５ａと、筐体本体５ａの開放部を覆う蓋部５ｂにより構成されている。
【００２７】
ポンプユニット３は、ポンプユニット用筐体６を有し、図２で示されるように、ポンプユニット用筐体６（筺体）内に、循環ポンプ１３、予備用循環ポンプ１４、膨張タンク１７等が主要な構成部材として内蔵されている。そして、これら循環ポンプ１３、予備用循環ポンプ１４等を制御可能なコントローラ５３が内蔵されている。
【００２８】
ポンプユニット用筐体６は、図１に示されるように、１面が開放された筐体本体６ａと、筐体本体６ａの開放部を覆う蓋部６ｂにより構成されている。
【００２９】
循環ポンプ１３は、図２で示されるように、筺体本体６ａの底板部２３に取付け具３０（詳しくは後述する）を介して接続されている。特に限定されるものではないが、本実施形態における循環ポンプ１３は渦巻きポンプとなっている。ここで、この循環ポンプ１３は、図３で示されるように、外形略円柱状のポンプ本体部２５に脚部２６が一体に取付けられた状態となっている。
【００３０】
脚部２６は、金属薄板を打ち抜き加工後に曲げ加工して製されたものであり、図３で示されるように、幅方向（左右方向）中心から幅方向外側へ向かってそれぞれ、脚部本体２６ａ、中間板部２６ｂ，外側板部２６ｃが一体に連続して形成されている。詳細には、脚部２６は、幅方向の中心に位置する脚部本体２６ａと、脚部本体２６ａの幅方向外側端部とそれぞれ連続した２つの中間板部２６ｂ，２６ｂと、２つの中間板部２６ｂ，２６ｂのそれぞれの幅方向外側端部と連続した２つの外側板部２６ｃ，２６ｃによって形成されている。
【００３１】
脚部本体２６ａは、ポンプ本体部２５の外周面に沿って弓なりに湾曲した板状の部分である。なお、この脚部本体２６ａは、上方視が略長方形状となっている。
【００３２】
中間板部２６ｂは、略長方形板状の部分であり、脚部本体２６ａの幅方向（左右方向）の端部から、さらに幅方向外側下方へ向かって突出し、前後方向に延びている。
【００３３】
外側板部２６ｃは、略長方形板状の部分であり、中間板部２６ｂの幅方向（左右方向）の外側端部であり下端部分から、幅方向外側へ向かって略水平に突出している。このとき、外側板部２６ｃは前後方向に延びており、前端近傍と後端近傍にそれぞれ外側板部２６ｃを上下方向に貫通する取付け孔４５，４６がそれぞれ設けられている。
【００３４】
予備用循環ポンプ１４は、循環ポンプ１３と同一のポンプであり、ポンプ本体部２５に脚部２６が一体に取付けられた構成となっている。この予備用循環ポンプ１４は、臨時用のポンプとなっており、メンテナンス時や、主だって使用される循環ポンプ１３の故障時に使用されるポンプとなっている。この予備用循環ポンプ１４も主だって使用される循環ポンプ１３と同様に、取付け具３０（詳しくは後述する）を介して筺体本体６ａの底板部２３に接続されている。
ここで、本実施形態では、図２で示されるように、予備用循環ポンプ１４と循環ポンプ１３とが、それぞれの取付け具３０，３０の上方で連結部材３１によって接続され、実質的に一体となっている。
なお、この予備用循環ポンプ１４は臨時用のポンプと使用するだけでなく、給湯システム１の通常の動作時において、循環ポンプ１３と交互に使用してもよい。即ち、本実施形態の給湯システム１では、循環ポンプ１３と予備用循環ポンプ１４とを交互に使用するローテーション運転が実施可能となっている。
【００３５】
膨張タンク１７は、密閉型のアキュムレータであり、ポンプにより加圧された湯水の圧力エネルギーを蓄積可能であって、配管内の過剰な圧力上昇を阻止し、湯水の供給圧を平均化する機能を有している。
【００３６】
コントローラ５３は、ポンプユニット３に設けられており、給湯システム１の各機器を集約的に制御可能な制御装置（図示せず）と電気的に接続されている。即ち、コントローラ５３は、制御装置と信号の送受信を行って、ポンプユニット３を制御するものである。
【００３７】
ここで、本実施形態の特徴的な部材である、循環ポンプ１３の取付け具３０、予備用循環ポンプ１４の取付け具３０、連結部材３１について詳細に説明すると共に、これらを用いた循環ポンプ１３、予備用循環ポンプ１４のポンプユニット用筐体６への固定構造についても詳細に説明する。
【００３８】
循環ポンプ１３は、図４で示されるように、取付け具３０を介してポンプユニット用筺体６の底板部２３に取り付けられた状態となっている。このとき、取付け具３０と循環ポンプ１３の脚部２６との間には防振部材７２が位置しており、循環ポンプ１３の脚部２６上には連結部材３１の一部である固定板部５５が位置している状態となっている。そしてまた、予備用循環ポンプ１４も循環ポンプ１３と同様に取付けられた状態となっている。そして、循環ポンプ１３と一体に取付けられた固定板部５５と、予備用循環ポンプ１４と一体に取付けられた固定板部５５とが、連結板部５６によって連結された状態となっている。
【００３９】
取付け具３０は、図４で示されるように、台座部３３、ブラケット３４から構成されている。
【００４０】
台座部３３は、図５，６で示されるように、金属薄板を打ち抜き加工後に曲げ加工して製造されたものであり、略正方形状の天板部３６と、天板部３６の前端から略垂直下方へ垂下された前板部３７と、天板部３６の後端から略垂直下方へ垂下された後板部３７から構成されている。
【００４１】
天板部３６の四隅近傍には、それぞれ天板部３６を上下方向に貫通する取付け孔３６ａ，３６ｂ，３６ｃ，３６ｄが設けられている。
【００４２】
前板部３７は、図５で示されるように、断面略「Ｌ」字状で幅方向（左右方向）に延びる板状の部材であり、共に略長方形板状の前板本体３７ａと突出板部３７ｂとが一体に連続して形成されている。前板本体３７ａは、上端部分で天板部３６と、下端部分で突出板部３７ｂと一体に連続している。このとき、前板本体３７ａの幅方向（左右方向）の両端からやや中央よりの部分には、それぞれ前板本体３７ａを前後方向に貫通する取付け孔４０，４１が設けられている。突出板部３７ｂは、前板本体３７ａの下端から前方へ突出している。そのため、突出板部３７ｂは、天板部３６と略上下水平に位置している。
【００４３】
後板部３８は、図６で示されるように、後板本体部３８ａと掛止片部３８ｂとが一体に連続して形成されている。後板本体部３８ａは、略長方形板状となっており、上端部分で天板部３６と一体に連続している。このとき後板本体部３８ａの幅方向（左右方向）の長さは天板部３６と略同一となっている。掛止片部３８ｂは、略長方形板状となっており、後板本体部３８ａの下端から下側後方へ突出している。このとき、掛止片部３８ｂの幅方向（左右方向）の長さは、後板本体部３８ａの幅方向（左右方向）の長さより短くなっている。そして、この掛止片部３８ｂの幅方向（左右方向）の中心位置は、後板本体部３８ａの幅方向（左右方向）の中心位置と略同一となっている。
【００４４】
ブラケット３４は、図７で示されるように、略「Ｌ」字型断面の板状部材であり、略長方形板状のブラケット本体３４ａと、ブラケット本体３４ａの前端から略垂直上方に突出する略長方形板状の立壁部３４ｂとが一体に連続して形成されている。このとき、ブラケット本体３４ａの前後方向の長さは、立壁部３４ｂの突出方向の長さより２倍以上長くなっている。そして、立壁部３４ｂには、立壁部３４ｂを前後方向に貫通する取付け孔４３が設けられている。
【００４５】
連結部材３１は、図４で示されるように、取付け具３０と一体に取付けられる固定板部５５と、複数の固定板部５５を連結する連結板部５６を備えている。
【００４６】
固定板部５５は、図８で示されるように、略「凹」字板状の天板部分５８と、天板部分５８の前端部分から略垂直下方へ垂下されている略長方形板状の前板部分５９から形成されている。
【００４７】
天板部分５８の後方側には、幅方向の中心部分に後方から前方へ向かって切り欠かれた、略長方形状の切り欠き６０が形成されている。そして、天板部分５８の後端部分であって幅方向の両端近傍には、それぞれ天板部分５８を上下方向に貫通する取付け孔４７，４８が形成されている。
【００４８】
前板部分５９の幅方向の中心部分近傍と、幅方向の両端部分よりやや内側の部分のそれぞれには、前板部分５９を前後方向に貫通する取付け孔５０，５１，５２が設けられている。さらには、取付け孔５０，５１，５２はいずれも前板部分５９の下端よりやや上側の部分に設けられており、３つの取付け孔５０，５１，５２の中心部分の上下方向における位置は同一となっている。
【００４９】
連結板部５６は、図９で示されるように、断面略「Ｌ」字状で幅方向（左右方向）に延びる板状の部材であり、共に略長方形板状の連結板本体６２と突出板部６３とが一体に連続して形成されている。
【００５０】
連結板本体６２は、略垂直に立てられた状態となっており、幅方向の中心部分に上端から下方へ向かって切り欠かれた、略長方形状の切り欠き６５が形成されている。そして、切り欠き６５の幅方向（左右方向）の両端部分よりやや外側の部分に、取付け孔６８，６９がそれぞれ設けられている。そして、連結板本体６２全体の幅方向両端部分よりやや内側の部分に、取付け孔６７，７０がそれぞれ設けられている。そして、これら４つの取付け孔６７，６８，６９，７０はいずれも連結板本体６２の上下方向の中心部分近傍に設けられており、４つの取付け孔６７，６８，６９，７０の中心部分の上下方向における位置は同一となっている。また、この４つの取付け孔６７，６８，６９，７０はいずれも連結板本体６２を前後方向に貫通している。
【００５１】
突出板部６３は、連結板本体６２の下端から前方へ向かって突出する略長方形板状の部分となっている。
【００５２】
防振部材７２は、振動を吸収する材料で形成されるものであり、より具体的には、天然ゴム、合成ゴム、エラストマー、ポリウレタン等の樹脂材料、又はこれらを原料とする合成材料が好適に採用される。
【００５３】
また防振部材７２は、図１０で示されるように、本体部７４と下方突出部７５から形成されている。本体部７４と下方突出部７５の外観は共に円柱状であって本体部７４の径は下方突出部７５の径より大きくなっている。そして、本体部７４の下端面と下方突出部７５の上端面は２つの円柱を積み重ねるように段差を有して連続しており、本体部７４と下方突出部７５の中心軸は同じとなるように配置されている。またここで、本体部７４にはその天面に下方へ向かって延びる取付け穴７６が設けられている。この取付け穴７６は、略円柱状の有底穴となっており、取付け穴７６の径は、本体部７４の径より小さく、下方突出部７５の径と略同等となっている。なお、この取付け穴７６は、本体部７４の天面から、本体部７４の上下方向の中心よりやや上側まで延びており、その中心軸は、本体部７４の中心軸は同じとなっている。
【００５４】
ここで、本実施形態の取付け具３０と連結部材３１によって、循環ポンプ１３及び予備用循環ポンプ１４をポンプユニット用筺体６に取付けるときの組み立て構造について説明する。
【００５５】
まず、循環ポンプ１３をポンプユニット用筺体６に取付けるときの組み立て構造について説明する。
【００５６】
ポンプユニット用筺体６の底板部２３では、図４で示されるように、開口形状が略長方形で底板部２３を上下に貫通する台座取付け孔７７が設けられ、台座取付け孔７７の前方に２つのブラケット３４がそれぞれ間隔を空けて一体に取付けられた状態となっている。なお、ブラケット３４は、溶接、締結要素を介した取付け等の適宜な方法で取付けられている。ここで締結要素とは、ネジ、クギ等の上位概念とする。
【００５７】
そして、台座部３３の掛止片部３８ｂ（図６参照）が台座取付け孔７７（図４参照）に挿通された状態で、図１１で示されるように、台座部３３の取付け孔４０，４１と、２つのブラケット３４にそれぞれ設けられた取付け孔４３とを重ね合わせた状態で、締結要素８０が挿通されており、ポンプユニット用筺体６の底板部２３に台座部３３が取り付けられた状態となっている。さらに詳細に説明すると、台座部３３を底板部２３に対して傾斜させた状態で、台座部３３の掛止片部３８ｂが底板部２３の台座取付け孔７７に挿入された状態とする。そして、掛止片部３８ｂが台座取付け孔７７に挿入された状態で、前板部３７の下端が底板部２３の上面に当接するまで台座部３３を動かす。即ち、掛止片部３８ｂを支点にして台座部３３の前端部分を動かす（回動させる）。すると、前板部３７の取付け孔４０，４１が２つのブラケット３４の取付け孔４３，４３とそれぞれ重なり合う状態となる。そうして、その状態において締結要素８０を重なった取付け孔４０，４３（４１，４３）に挿通することにより、底板部２３に台座部３３が取り付けられた状態となる。
【００５８】
また、図１１で示されるように、台座部３３の天板部３６に設けられた取付け孔３６ａ，３６ｂ，３６ｃ，３６ｄ（図５参照）に、４つの防振部材７２，７２，７２，７２の下方突出部７５（図１０参照）をそれぞれ挿入した状態で、台座部３３と４つの防振部材７２，７２，７２，７２とを一体に取付けた状態となっている。
【００５９】
またさらに、図１２で示されるように、４つの防振部材７２，７２，７２，７２の天面には、循環ポンプ１３の脚部２６が載置されている。詳細には、脚部２６の幅方向両端部分において、それぞれ１つの外側板部２６ｃが２つの防振部材７２，７２上に載置された状態になっている。そして、４つの防振部材７２，７２，７２，７２の天面に形成された取付け孔７６，７６，７６，７６と、２つの外側板部２６ｃにそれぞれ形成された取付け孔４５，４６，４５，４６とが重なった状態となっている。
【００６０】
ここで、２つの外側板部２６ｃの前方側に注目すると、図１２，１３で示されるように、その上方に固定板部５５の天板部分５８が載置された状態となっている。このとき、固定板部５５の天板部分５８は、その幅方向の両端部分がそれぞれ異なる外側板部２６ｃ上に載置されている。そして、外側板部２６ｃ，２６ｃの取付け孔４５，４５と、固定板部５５の取付け孔４７，４８とが重なった状態となっている。つまり、前方に位置する２つの防振部材７２，７２の天面には、循環ポンプ１３の脚部２６と固定板部５５とが載置された状態となっている。これに対して、後方側の２つの防振部材７２，７２の天面には、脚部２６の外側板部２６ｃ，２６ｃのみが載置された状態となっている。
【００６１】
このとき前方側においては、防振部材７２，７２の取付け穴７６，７６、外側板部２６ｃ，２６ｃの取付け孔４５，４５、固定板部５５の取付け孔４７，４８が台座部３３の幅方向の両端部分近傍でそれぞれ重なった状態となっている。また後方側においては、防振部材７２，７２の取付け穴７６，７６と、外側板部２６ｃ，２６ｃの取付け孔４６，４６とが台座部３３の幅方向両端部分でそれぞれ重なった状態となっている。そして、前方側及び後方側の台座部３３の幅方向両端部分のそれぞれにおいて、重なった各取付け孔（穴）に締結要素８１を挿通した状態とする。このことにより、４つの防振部材７２，７２，７２，７２上に循環ポンプ１３の脚部２６が一体に固定された状態になると同時に、脚部２６の外側板部２６ｃの天面上に固定板部５５が一体に固定された状態になる。
【００６２】
そして、循環ポンプ１３がポンプユニット用筺体６に取付けられた状態となる。また、予備用循環ポンプ１４も、循環ポンプ１３と同様にポンプユニット用筺体６に取付けられる。
【００６３】
循環ポンプ１３と予備用循環ポンプ１４がポンプユニット用筺体６に取付けられた状態において、図１３で示されるように、循環ポンプ１３と一体に取付けられた固定板部５５と、予備用循環ポンプ１４と一体に取付けられた固定板部５５とを、連結板部５６で連結する。具体的には、予備用循環ポンプ１４と一体に取付けられた固定板部５５の中央に位置する取付け孔５１及び右側に位置する取付け孔５２と、連結板部５６の左側の２つの取付け孔６７，６８とを重ね合わせた状態で、これらに締結要素８２を挿通した状態とする。そして、予備用循環ポンプ１４側の固定板部５５と連結板部５６とを一体に取り付けた状態とする。加えて、循環ポンプ１３と一体に取付けられた固定板部５５の中央に位置する取付け孔５１及び左側に位置する取付け孔取付け孔５０（図８参照）と、連結板部５６の右側の２つの取付け孔６９，７０とを重ね合わせた状態で、これらに締結要素８２を挿通した状態とする。そして、循環ポンプ１３側の固定板部５５と連結板部５６とを一体に取り付けた状態とする。このことにより、２つの固定板部５５，５５と連結板部５６が締結要素８２を介して一体に取付けた状態とする。これにより、防振部材７２，７２の上側であり、防振部材７２，７２よりもポンプ本体部２５よりの位置で循環ポンプ１３と予備用循環ポンプ１４とが実質的に一体に取り付けられた状態となる。
【００６４】
以上で、循環ポンプ１３及び予備用循環ポンプ１４をポンプユニット用筺体６に取付けるときの組み立て構造についての説明を終了する。
【００６５】
このように、循環ポンプ１３（予備用循環ポンプ１４）をポンプユニット用筺体６の底板部２３に取付けると、図１４で示されるように、底板部２３と台座部３３の天板部３６との間に空間８５が形成され、台座部３３の天板部３６と循環ポンプ１３のポンプ本体部２５との間に空間８６が形成される。つまり、ポンプ本体部２５と底板部２３の間に２つの空間８５，８６が形成される。
【００６６】
上記した実施形態では、本発明のポンプの固定構造を給湯機本体２とポンプユニット３を別途設けた給湯システム１に用いた例を示したが、本発明のポンプの固定構造はこれに限るものではない。例えば、給湯機本体（熱源部）とポンプユニットとが１つの筺体に配された給湯装置（熱源機）に複数のポンプを取付けるとき、本発明のポンプの固定構造を用いてもよい。即ち、複数のポンプを使用する機器であれば、本発明のポンプの固定構造を採用することができる。
【００６７】
また、上記した実施形態では、循環ポンプ１３の取付け具３０と、予備用循環ポンプ１４の取付け具３０とに、それぞれ連結部材の一部を一体に取付け、２つの取付け具３０を実質的に一体とする例を示したが、本発明のポンプの固定構造はこれに限るものではない。例えば、循環ポンプ１３と予備用循環ポンプ１４を直接連結する構成であってもよい。即ち、循環ポンプ１３と予備用循環ポンプ１４の外郭部材同士を連結する構成であってもよく、具体的には、ポンプ本体部同士、脚部同士、ポンプ本体部と脚部とを連結する構成であってもよい。
【００６８】
上記した実施形態では、２つのポンプを筺体に取付ける例を示したが、本発明のポンプの固定構造はこれに限るものではない。３つ以上のポンプを筺体に取付けてもよい。また１つのポンプが２つ以上のポンプと実質的に一体とする構成であっても構わない。
【符号の説明】
【００６９】
１  給湯システム（機器）
２  給湯器本体（熱源部）
３  ポンプユニット
６  ポンプユニット用筺体（筺体）
１３  循環ポンプ（ポンプ）
１４  予備用循環ポンプ（ポンプ）
３０  取付け具
３１  連結部材
３３  台座部
５５  固定板部
５６  連結板部
７２  防振部材
【図１】
2012225628.tif 000003
【図２】
2012225628.tif 000004
【図３】
2012225628.tif 000005
【図４】
2012225628.tif 000006
【図５】
2012225628.tif 000007
【図６】
2012225628.tif 000008
【図７】
2012225628.tif 000009
【図８】
2012225628.tif 000010
【図９】
2012225628.tif 000011
【図１０】
2012225628.tif 000012
【図１１】
2012225628.tif 000013
【図１２】
2012225628.tif 000014
【図１３】
2012225628.tif 000015
【図１４】
2012225628.tif 000016